(57)【要約】  【課題】複数の機種に共通なプリント基板を用いて異なる機種に対応する基板ユニットを作成し、これらを該当する機種に搭載する場合、機種と対応していない誤った基板ユニットが装着されることを防止する。  【解決手段】空気清浄機１は、操作基板ユニットの種類を識別する識別孔１７ａを備えたプリント基板１７と、識別孔１７ａと対応する位置に配置されたボス１４ｂと、プリント基板１７に装着する抵抗４０ａとを備えており、プリント基板１７を操作部１４に装着することを防止する場合、識別孔１７ａを跨ぐように抵抗４０ａがプリント基板１７に装着される。【選択図】図６
2019129194.tif 000002
【特許請求の範囲】
【請求項１】
識別孔を備えたプリント基板と、
前記プリント基板に部品が実装された基板ユニットが収納される収納部を有し、
前記収納部は底部と前記底部から立設された突起部を有し、
前記識別孔と前記突起部は、前記基板ユニットを前記収納部に収納した時に前記識別孔と前記突起部が嵌合するように設けられ、
前記突起部の前記識別孔への挿通を阻止するように前記識別孔を跨いではんだ付けされる部品を備えたことを特徴とする電子機器。
【請求項２】
識別エリアを表面に備えたプリント基板と、
前記プリント基板に部品が実装された基板ユニットが収納される収納部を有し、
前記収納部は底部と前記底部から立設された突起部を有し、
前記識別エリアと前記突起部は、前記基板ユニットを前記収納部に収納した時に前記識別エリアと前記突起部の先端面が対向するように設けられ、
前記基板ユニットの前記収納部への収納を阻止するように、前記識別エリアにはんだ付けされる部品を備えたことを特徴とする電子機器。
【発明の詳細な説明】
【技術分野】
【０００１】
本発明は、基板ユニットの機器への誤装着を防止する誤装着防止構造に係わり、より詳細には、複数の機種に共通なプリント基板を用いて異なる機種に対応する基板ユニットを作成し、これらを該当する機種に搭載する場合、機種と対応していない誤った基板ユニットが装着されることを防止する電子機器に関する。
【背景技術】
【０００２】
従来、類似する異なる機種に共通のプリント基板を用いる場合がある。このプリント基板を用いて1種類の基板ユニットを作成し、これを複数の機種で共用する場合は何の問題もない。しかし、共通のプリント基板を用いて一部の搭載部品が異なる複数の基板ユニットを作成した場合、各々の機種に対して正しい基板ユニットを区別して装着しなければならない。
【０００３】
同じプリント基板を用いて異なる基板ユニットを作成した場合、基板ユニットを区別して装着するため、識別ラベルを基板ユニットに貼り付けることで基板ユニットの装着ミスを防ぐことが一般的であるが、識別方法が目視であるため誤装着を完全に防止することができない。
一方、基板ユニットの種類ごとに基板ユニットの表面に設けられたディファレンシャルマーク（識別マーク）を画像認識を用いた検査装置で判定し、製造工程で正しく基板ユニットが該当機器に装着されたか検査する方法が、例えば、特許文献１に記載されている。
【０００４】
確かに特許文献１の方法は基板ユニットの誤装着を発見できる。
しかしながら、誤装着の検出には画像認識装置や識別データを記憶するデータベースなどを備えた専用の検査装置が必要であり、また、検査装置自体が高価であった。
【先行技術文献】
【特許文献】
【０００５】
【特許文献１】特開２００３−３１８４９８号公報（段落番号００２９〜００３１）
【発明の概要】
【発明が解決しようとする課題】
【０００６】
本発明は以上述べた問題点を解決し、複数の機種に共通なプリント基板を用いて異なる機種に対応する基板ユニットを作成し、これらを該当する機種に搭載する場合、機種と対応していない誤った基板ユニットが装着されることを防止することを目的とする。
【課題を解決するための手段】
【０００７】
本発明は上述の課題を解決するため、本発明の請求項１に記載の発明は、
識別孔を備えたプリント基板と、
前記プリント基板に部品が実装された基板ユニットが収納される収納部を有し、
前記収納部は底部と前記底部から立設された突起部を有し、
前記識別孔と前記突起部は、前記基板ユニットを前記収納部に収納した時に前記識別孔と前記突起部が嵌合するように設けられ、
前記突起部の前記識別孔への挿通を阻止するように前記識別孔を跨いではんだ付けされる部品を備えたことを特徴とする。
【０００８】
また、本発明の請求項２に記載の発明は、
識別エリアを表面に備えたプリント基板と、
前記プリント基板に部品が実装された基板ユニットが収納される収納部を有し、
前記収納部は底部と前記底部から立設された突起部を有し、
前記識別エリアと前記突起部は、前記基板ユニットを前記収納部に収納した時に前記識別エリアと前記突起部の先端面が対向するように設けられ、
前記基板ユニットの前記収納部への収納を阻止するように、前記識別エリアにはんだ付けされる部品を備えたことを特徴とする。
【発明の効果】
【０００９】
以上の手段を用いることにより、本発明による電子機器によれば、背景技術で説明した基板ユニットを識別する高価な検査機器がなくても、基板ユニットに備えた安価な部品で誤装着を防止できる。
また、通常、プリント基板への部品の実装は電子部品実装機で行うため、基板ユニットを識別する部品を正確に装着できるので対応する電子機器の指定誤りがなく信頼性が高い。
【図面の簡単な説明】
【００１０】
【図１】本発明による基板ユニットの誤装着防止構造を備えた空気清浄機の実施例を示す外観図である。
【図２】本発明による基板ユニットの誤装着防止構造を備えた空気清浄機の実施例を示す分解図である。
【図３】操作部の表示シートの正面図であり、表記内容を説明する説明図である。
【図４】操作部に用いられるプリント基板の正面図である。
【図５】操作部における操作基板ユニットの取り付け構造を示す斜視図である。
【図６】基板ユニットの誤装着を防止する構造を説明する説明図である。
【図７】基板ユニットの誤装着を防止する別の構造を説明する説明図である。
【発明を実施するための形態】
【００１１】
以下、本発明の実施の形態を、添付図面に基づいた実施例として詳細に説明する。
【実施例１】
【００１２】
図１は本発明による電子機器である空気清浄機の実施例を示す外観図である。図１（１）は空気清浄機能と脱臭機能と加湿機能を備えた高機能タイプの空気清浄機１である。図１（２）は空気清浄機能と脱臭機能のみを備えた低機能タイプの空気清浄機２である。このようにデザインが類似した製品では出来るだけ共通部品を採用して開発コスト、部品コスト、生産性を向上させるように設計される。
【００１３】
図１（１）に示す高機能タイプの空気清浄機１は、本体部１１と、本体部１１の背面に装着されたリアパネル９と、本体部１１の前面に配置された前面パネル１２と、前面パネル１２の前面に装着されたフロントパネル１３と、前面パネル１２とフロントパネル１３の間の上部に位置する操作部１４を備えている。なお、フロントパネル１３の周囲には吸込口１３ａが、また、リアパネル９の周囲には吹出口９ａが、それぞれ備えられている。
【００１４】
一方、図１（２）に示す低機能タイプの空気清浄機２は、本体部２１と、本体部２１の背面に装着されたリアパネル８と、本体部２１の前面に配置された前面パネル２２と、前面パネル２２の前面に装着されたフロントパネル２３と、前面パネル２２とフロントパネル２３の間の上部に位置する操作部２４を備えている。なお、フロントパネル２３の周囲には吸込口２３ａが、また、リアパネル８の周囲には吹出口８ａが、それぞれ備えられている。
【００１５】
図２は前述した２つのタイプの空気清浄機の分解斜視図である。
図２（１）において空気清浄機１は、前面パネル１２の中央部分の２つの凹部にそれぞれ装着される２つの集塵ユニット１６と、集塵ユニット１６の前面に配置されるフィルタ１５を内部に備えており、フィルタ１５の前面にフロントパネル１３が装着される。また、前面パネル１２の上部には、上面に表示シート１８が貼り付けられた操作部１４が備えられている。
【００１６】
一方、図２（２）において空気清浄機２は、前面パネル２２の中央部分の１つの凹部に装着される１つの集塵ユニット２６と、集塵ユニット２６の前面に配置されるフィルタ２５を内部に備えており、フィルタ２５の前面にフロントパネル２３が装着される。また、前面パネル２２の上部には、上面に表示シート２８が貼り付けられた操作部２４が備えられている。
【００１７】
図３は前述した２つのタイプの空気清浄機に装着される２つの表示シートの表記内容を説明する説明図である。
図３（１）は高機能タイプの空気清浄機１に用いられる表示シート１８である。この表示シート１８の複数の白丸部分と複数の楕円状の白丸部分は透明になっており、後述する表示シート１８下方に配置される操作基板ユニットのＬＥＤ素子の発光により点灯するインジケータ１８ｅとなっている。また、グレーの矩形や長方形で表される部分は操作スイッチを表しており、後述する表示シート１８下方のタッチセンサにより操作を受け付ける範囲を表している。
【００１８】
高機能タイプの空気清浄機１の表示シート１８は、運転／停止ボタンや空気清浄に関する切タイマー、風量切り換えのボタンと表示、集塵用フィルタのお手入れ用のボタンと表示、などを備えている。さらに、表示シート１８は、加湿・空気清浄の運転切換ボタンと表示からなる運転切換表記部１８ａと、加湿の強弱を切り換えるボタンと表示からなる加湿強弱表記部１８ｂと、加湿用フィルタのお手入れ用のボタンと表示からなる加湿用フィルタお手入れ部１８ｃと、現在の湿度を表示する現在湿度表記部１８ｄを加湿機能用として備えている。
【００１９】
図３（２）は低機能タイプの空気清浄機２に用いられる表示シート２８である。この表示シート２８の複数の白丸部分と複数の楕円状の白丸部分は透明になっており、後述する表示シート２８下方に配置される基板ユニットのＬＥＤ素子の発光により点灯するインジケータとなっている。また、グレーの矩形や長方形で表される部分は操作スイッチを表しており、後述する表示シート２８下方のタッチセンサにより操作を受け付ける範囲を表している。
【００２０】
低機能の空気清浄機２の表示シート２８は、運転／停止ボタンや空気清浄に関する切タイマー、風量切り換えのボタンと表示、集塵用フィルタのお手入れ用のボタンと表示、などを備えている。一方、低機能の空気清浄機２は加湿機能を備えていないため、表示シート２８は表示シート１８で備えていた加湿機能に関する表示部分がない。
つまり表示シート２８は、運転切換表記部１８ａと、加湿強弱表記部１８ｂと、加湿用フィルタお手入れ部１８ｃと、現在湿度表記部１８ｄを備えていない。その他は寸法も含めて表示シート１８と全く同じである。
【００２１】
図４は空気清浄機１と空気清浄機２で共通に使用される表示・操作用のプリント基板１７である。このプリント基板１７に空気清浄機１と空気清浄機２でそれぞれ必要な表面実装部品を装着して、それぞれの機種専用の操作基板ユニットが作成される。それぞれの機種を識別するため、プリント基板１７の左側には識別孔１７ａが、また、プリント基板１７の右側には識別孔１７ｂがそれぞれ備えられている。なお、この識別孔については後で詳細に説明する。
【００２２】
一方、プリント基板１７は、図３（１）で説明した操作用の各ボタンと対応する位置にタッチセンサ用の検出パターン１７ｄがそれぞれ備えられている。また、図３（１）で説明したＬＥＤ素子の発光により点灯するインジケータ１８ｅとそれぞれ対応する位置にＬＥＤ素子の光を通過させる孔１７ｃが備えられている。
前述したように２つの機種では加湿機能の有無により、表示シートにおける加湿強弱表記部１８ｂと、加湿用フィルタお手入れ部１８ｃと、現在湿度表記部１８ｄで用いられるプリント基板１７の下面に装着されるＬＥＤ素子の有無が異なる。
【００２３】
図５は操作部における高機能用操作基板ユニット３０の取り付け構造を示す斜視図である。なお、太い矢印で示される方向が操作部の前方を示している。
図５（１）に示すように操作部１４は上から見た時に台形状であり、前方から後方に向かって徐々に左右の幅が拡大された操作部ベース１４ａを備えており、この操作部ベース１４ａの中央には高機能用操作基板ユニット３０を格納する収納部１４ｄが設けられている。
この収納部１４ｄは、上部が開放された凹部であり、この収納部１４ｄの底部１４ｅは、この底部１４ｅから立設された突起部である円柱形のボス１４ｂを有している。
【００２４】
収納部１４ｄ内の底部１４ｅの前側と後側には高機能用操作基板ユニット３０を乗せるための段部１４ｃがそれぞれ備えられている。また、収納部１４ｄ内の底部１４ｅの左後方には操作基板ユニットの誤装着を防止するための前述したボス１４ｂが収納部１４ｄの底部１４ｅから収納部１４ｄの上部、つまり、操作部ベース１４ａの上面１４ｆと同じ高さまで立設されている。なお、プリント基板１７の一方の面が収納部１４ｄの底部１４ｅと対向する側の面を下面、プリント基板１７の他方の面を上面とそれぞれ呼称する。なお、高機能用操作基板ユニット３０も同様である。
【００２５】
一方、収納部１４ｄの上部には空気清浄機１に用いられる高機能用操作基板ユニット３０が格納されており、この状態で高機能用操作基板ユニット３０の上面と操作部ベース１４ａの上面１４ｆとは同じ高さになっている。また、高機能用操作基板ユニット３０の左側のプリント基板１７の識別孔１７ａとボス１４ｂは嵌合した状態になっている。一方、高機能用操作基板ユニット３０の下面側の識別孔１７ｂを跨ぐように、高機能用操作基板ユニット３０の誤装着を防止するための部品である表面実装用の抵抗３０ａが装着されている。なお、抵抗３０ａの下方は収納部１４ｄ内の空間となっている。
【００２６】
一方、図５（２）に示すように操作部２４は上から見た時に台形状であり、前方から後方に向かって徐々に左右の幅が拡大された操作部ベース２４ａを備えており、この操作部ベース２４ａの中央には低機能用操作基板ユニット４０を格納する収納部２４ｄが設けられている。
この収納部２４ｄは、上部が開放された凹部であり、この収納部２４ｄの底部２４ｅは、この底部２４ｅから立設された突起部である円柱形のボス２４ｂを有している。
【００２７】
収納部２４ｄ内の底部２４ｅの前側と後側には低機能用操作基板ユニット４０を乗せるための段部２４ｃがそれぞれ備えられている。また、収納部２４ｄ内の底部１４ｅの右後方には操作基板ユニットの誤装着を防止するための前述したボス２４ｂが収納部２４ｄの底部２４ｅから収納部２４ｄの上部、つまり、操作部ベース２４ａの上面２４ｆと同じ高さまで立設されている。なお、プリント基板１７の一方の面が収納部２４ｄの底部２４ｅと対向する側の面を下面、プリント基板１７の他方の面を上面とそれぞれ呼称する。なお、低機能用操作基板ユニット４０も同様である。
【００２８】
一方、収納部２４ｄの上部には空気清浄機２に用いられる低機能用操作基板ユニット４０が格納されており、この状態で低機能用操作基板ユニット４０の上面と操作部ベース２４ａの上面２４ｆとは同じ高さになっている。また、低機能用操作基板ユニット４０の右側のプリント基板１７の識別孔１７ｂとボス２４ｂは嵌合した状態になっている。一方、低機能用操作基板ユニット４０の下面側の識別孔１７ａを跨ぐように、低機能用操作基板ユニット４０の誤装着を防止するための部品である表面実装用の抵抗４０ａが装着されている。なお、抵抗４０ａの下方は収納部２４ｄ内の空間となっている。
【００２９】
このように、高機能用操作基板ユニット３０の下面の識別孔１７ｂを跨ぐように抵抗３０ａが装着され、また、高機能用操作基板ユニット３０の識別孔１７ａを跨ぐ部品が装着されていない。このため、高機能用操作基板ユニット３０を誤って低機能機種である空気清浄機２の収納部２４ｄに収納しようとした場合、収納部２４ｄ内のボス２４ｂが抵抗３０ａに阻まれてプリント基板１７の識別孔１７ｂを挿通できない、つまり、ボス２４ｂと識別孔１７ｂが嵌合できず、結果的に高機能用操作基板ユニット３０を低機能機種である空気清浄機２の収納部２４ｄに収納することを防止することができる。
【００３０】
一方、低機能用操作基板ユニット４０の下面の識別孔１７ａを跨ぐように抵抗４０ａが装着され、また、低機能用操作基板ユニット４０の識別孔１７ｂを跨ぐ部品が装着されていない。このため、低機能用操作基板ユニット４０を誤って高機能機種である空気清浄機１の収納部１４ｄに収納しようとした場合、収納部１４ｄ内のボス１４ｂが抵抗４０ａに阻まれてプリント基板１７の識別孔１７ａを挿通できない、つまり、ボス１４ｂと識別孔１７ａが嵌合できず、結果的に低機能用操作基板ユニット４０を高機能機種である空気清浄機１の収納部１４ｄに収納することを防止することができる。
【００３１】
図６は操作基板ユニットの誤装着を防止する構造を説明する説明図であり、図５（１）のＸ−Ｘ’断面を示している。図６（１）は空気清浄機１に高機能用操作基板ユニット３０が正しく装着された状態を、図６（２）は空気清浄機１に低機能用操作基板ユニット４０を誤って装着しようとした状態を表している。
図６において操作部ベース１４ａに上部が開放された有底状の凹部からなる収納部１４ｄが設けられている。また、収納部１４ｄには段部１４ｃが設けられており、収納部１４ｄ内の底部１４ｅの後方にはボス１４ｂが立設されている。
【００３２】
図６（１）は空気清浄機１の操作部ベース１４ａに空気清浄機１用の高機能用操作基板ユニット３０が正しく装着された状態、つまり、図５（１）の状態を示している。高機能用操作基板ユニット３０のプリント基板１７の下面にはＬＥＤ素子３０ｂが装着されており、また、識別孔１７ａを跨ぐ部品が装着されていない。このため、識別孔１７ａにボス１４ｂが挿通された状態である。
【００３３】
一方、図６（２）は空気清浄機１の操作部ベース１４ａに、ＬＥＤ素子３０ｂが装着されていない空気清浄機２用の低機能用操作基板ユニット４０を誤って装着しようとした状態を示している。低機能用操作基板ユニット４０は抵抗４０ａが識別孔１７ａを跨ぐように装着されている。このため、抵抗４０ａに阻まれてボス１４ｂが識別孔１７ａを挿通することができず、結果的に低機能用操作基板ユニット４０を装着することができない。ここで、識別孔１７ａと抵抗４０ａとボス１４ｂで誤装着防止部（誤装着防止手段）１９を構成している。
【００３４】
なお、低機能用操作基板ユニット４０を、これと対応する操作部２４の収納部２４ｄに正しく装着する場合、図５（２）で説明したように低機能用操作基板ユニット４０の下面に装着された抵抗４０ａの下方にはボスが立設されていない空間であるため、低機能用操作基板ユニット４０を収納部２４ｄに格納することができる。
【００３５】
以上説明したように、背景技術で説明したプリント基板を識別する高価な検査機器がなくても、安価な部品である抵抗４０ａと識別孔１７ａとを低機能用操作基板ユニット４０に、また、収納部１４ｄの底部１４ｅから立設された突起部であるボス１４ｂを電子機器である空気清浄機１側にそれぞれ設けることで操作部ベース１４ａへの低機能用操作基板ユニット４０の誤装着を防止できる。
また、通常、プリント基板への部品の実装は、予めプログラミングされたシーケンスで部品を実装するチップマウンターで行う。この時、同時に基板ユニットを識別する部品である抵抗４０ａを実装するため、従来のように識別ラベルを手作業で張り付ける場合に比較して、対応する機種の指定誤りがなく信頼性が高い。
【００３６】
本実施例では、プリント基板の識別孔へのボスの挿通を阻むために抵抗を用いているが、これに限るものでなく、他の部品、例えばジャンパーワイヤなどでもよい。また、誤装着を防止する部品は、プリント基板の上面／下面のいずれに装着してもよい。
また、識別孔を特別に設けることなく、基板の下面から照射するＬＥＤ素子用の孔などを流用してもよい。
【実施例２】
【００３７】
図７は操作基板ユニットの誤装着を防止する別の構造を説明する説明図である。図６との違いは、プリント基板２７において識別孔１７ａの代わりにプリント基板２７の下面に識別エリア２７ａを備えていること、及び収納部５４ｄのボス５４ｂの高さが収納部５４ｄの段部５４ｃと同じことである。また、実装される部品として背の低い抵抗でなく背の高いコンデンサ７０ａを用いる。
【００３８】
図７は図６と同様の場所の断面図である。図７（１）は高機能用操作基板ユニット６０が正しく収納部に格納された状態を、図７（２）は低機能用操作基板ユニット７０を誤って装着しようとした状態を表している。
図７において操作部ベース５４ａの中央には低機能用操作基板ユニット６０を格納する収納部５４ｄが設けられている。この収納部５４ｄは、上部が開放された有底状の凹部であり、この収納部５４ｄの底部５４ｅは、この底部５４ｅから立設された突起部である円柱形のボス５４ｂと、高機能用操作基板ユニット６０を乗せるための段部５４ｃをそれぞれ有している。
なお、高機能用操作基板ユニット６０のプリント基板２７の一方の面が収納部５４ｄの底部５４ｅと対向する側の面を下面、プリント基板２７の他方の面を上面とそれぞれ呼称する。なお、高機能用操作基板ユニット６０及び低機能用操作基板ユニット７０も同様である。
【００３９】
図７（１）において高機能用操作基板ユニット６０のプリント基板２７の下面にはＬＥＤ素子６０ｂが装着されており、また、識別エリア２７ａには何も部品が装着されていない。このため、高機能用操作基板ユニット６０が収納部５４ｄに格納されており、識別エリア２７ａにボス５４ｂの先端面５４ｂ１が対向して当接した状態である。
【００４０】
一方、図７（２）において低機能用操作基板ユニット７０は、背の高いコンデンサ７０ａが識別エリア２７ａに装着されている。このため、コンデンサ７０ａの上部（図７（２）において下側）にボス５４ｂの先端面５４ｂ１が当たって低機能用操作基板ユニット７０を収納部５４ｄに収納することを阻止する。ここで、識別エリア２７ａとコンデンサ７０ａとボス５４ｂで誤装着防止部（誤装着防止手段）２９を構成している。
【００４１】
このため、背景技術で説明したプリント基板を識別する高価な検査機器がなくても安価なコンデンサ７０ａと識別エリア２７ａとボス５４ｂを低機能用操作基板ユニット７０に、また、収納部５４ｄの底部５４ｅから立設された突起部であるボス５４ｂを電子機器側にそれぞれ設けることで操作部ベース５４ａへの低機能用操作基板ユニット７０の誤装着を防止できる。
また、通常、プリント基板への部品の実装は、予めプログラミングされたシーケンスで部品を実装するチップマウンターで行う。この時、同時に基板ユニットを識別する部品であるコンデンサ７０ａを実装するため、従来のように識別ラベルを手作業で張り付ける場合に比較して、対応する機種の指定誤りがなく信頼性が高い。
さらに、実施例１の構成に比較してプリント基板２７に識別用の孔を設ける必要がないため、基板面積を有効に活用できる。
【００４２】
また、本実施例ではボス５４ｂを用いているが、これに限るものでなく、ボスの代わりに段部５４ｃを用いてもよい。この場合、正しい基板が装着される段部５４ｃの識別エリアと対応する位置には識別用の部品が当たらないように穴を設ける必要がある。
【符号の説明】
【００４３】
１  空気清浄機
２  空気清浄機
８  リアパネル
８ａ  吹出口
９  リアパネル
９ａ  吹出口
１１  本体部
１２  前面パネル
１３  フロントパネル
１３ａ  吸込口
１４  操作部
１４ａ  操作部ベース
１４ｂ  ボス
１４ｃ  段部
１４ｄ  収納部
１４ｅ  底部
１４ｆ  上面
１５  フィルタ
１６  集塵ユニット
１７  プリント基板
１７ａ  識別孔
１７ｂ  識別孔
１７ｃ  孔
１７ｄ  検出パターン
１８  表示シート
１８ａ  運転切換表記部
１８ｂ  加湿強弱表記部
１８ｃ  加湿用フィルタお手入れ部
１８ｄ  現在湿度表記部
１８ｅ  インジケータ
１９  誤装着防止部（誤装着防止手段）
２１  本体部
２２  前面パネル
２３  フロントパネル
２３ａ  吸込口
２４  操作部
２４ａ  操作部ベース
２４ｂ  ボス
２４ｃ  段部
２４ｄ  収納部
２４ｅ  底部
２４ｆ  上面
２５  フィルタ
２６  集塵ユニット
２７  プリント基板
２７ａ  識別エリア
２８  表示シート
２９  誤装着防止部（誤装着防止手段）
３０  高機能用操作基板ユニット
３０ａ  抵抗
３０ｂ  ＬＥＤ素子
４０  低機能用操作基板ユニット
４０ａ  抵抗
５４  操作部
５４ａ  操作部ベース
５４ｂ  ボス
５４ｂ１  先端面
５４ｃ  段部
５４ｄ  収納部
５４ｅ  底部
６０  高機能用操作基板ユニット
６０ｂ  ＬＥＤ素子
７０  低機能用操作基板ユニット
７０ａ  コンデンサ
【図１】
2019129194.tif 000003
【図２】
2019129194.tif 000004
【図３】
2019129194.tif 000005
【図４】
2019129194.tif 000006
【図５】
2019129194.tif 000007
【図６】
2019129194.tif 000008
【図７】
2019129194.tif 000009